(57)【要約】【課題】  従来、使用者が自ら空取りを行うことにより、区切りとなる画像を作成して、既に撮影した複数の画像を分類して整理するため、手間がかかった。【解決手段】  ＣＰＵ１１は、前回撮影してメモリーカード２６に記録されている第１画像の最終コマの撮影日と、今回撮影した第１画像の撮影日とが、同じであるか否かを判別する（Ｓ２１）。各撮影日が違って、このＳ２１の判別が“ＮＯ”である場合、ＣＰＵ１１は、撮像素子駆動回路１９に対してＣＣＤ駆動指示を出力し（Ｓ２２）シャッター１７が閉じた状態で撮像素子１８から得られる撮像信号によって第２画像を生成する。その後、ＣＰＵ１１は、第２画像に日付画像を重畳し（Ｓ２３）、画像ファイル記録指示を行って（Ｓ２４）、日付画像が重畳した第２画像をメモリーカード２６に記録し、複数の第１画像を第２画像によって日付で区切る。【選択図】  図３
2010050705.tif 000002
【特許請求の範囲】
【請求項１】
光学系によって被写体光を開口手段を介して取り込んで撮像手段に結像させて第１画像を生成する第１画像生成手段と、
前記第１画像と識別可能な第２画像を生成するか否かを判断する第２画像生成判断手段と、
この第２画像生成判断手段によって前記第２画像を生成すると判断されると前記第２画像を生成する第２画像生成手段と、
前記第１画像生成手段によって生成された複数の前記第１画像を前記第２画像生成手段によって生成された前記第２画像で区切って記憶媒体に記憶する記憶手段と
を備えることを特徴とするカメラ。
【請求項２】
請求項１に記載のカメラにおいて、
前記第２画像生成判断手段は、前記第１画像生成手段によって前回生成された前記第１画像の生成日と今回生成された前記第１画像の生成日とが異なる場合、または、前記第１画像生成手段によって前回生成された時に用いられた撮影機材と今回生成された時に用いられた撮影機材とが異なる場合に、前記第２画像を生成する判断をする
ことを特徴とするカメラ。
【請求項３】
請求項２に記載のカメラにおいて、
前記第２画像生成手段は、前記第１画像生成手段によって前回生成された前記第１画像の生成日と今回生成された前記第１画像の生成日とが異なって前記第２画像生成判断手段により前記第２画像を生成すると判断された場合、生成日情報を含んだ前記第２画像を生成し、前記第１画像生成手段によって前回生成された時に用いられた撮影機材と今回生成された時に用いられた撮影機材とが異なって前記第２画像生成判断手段により前記第２画像を生成すると判断された場合、撮影機材情報を含んだ前記第２画像を生成する
ことを特徴とするカメラ。
【請求項４】
請求項３に記載のカメラにおいて、
前記第２画像生成手段は、前記第１画像生成手段によって前回生成された前記第１画像の生成日と今回生成された前記第１画像の生成日とが異なり、かつ、前記第１画像生成手段によって前回生成された時に用いられた撮影機材と今回生成された時に用いられた撮影機材とが異なって前記第２画像生成判断手段により前記第２画像を生成すると判断された場合、生成日情報および撮影機材情報を含んだ前記第２画像を生成する
ことを特徴とするカメラ。
【請求項５】
請求項４に記載のカメラにおいて、
前記第２画像生成手段は、前記第２画像に表示する生成日情報と撮影機材情報とを異なる色で表現する
ことを特徴とするカメラ。
【請求項６】
請求項１に記載のカメラにおいて、
前記記憶手段によって前記第２画像が記憶媒体に記憶された後に、前記第２画像で区切られることによってファイル名の順番が変わった前記第１画像、およびこの第１画像を区切る前記第２画像に、連続する新たなファイル名を付与する付与手段を備えた
ことを特徴とするカメラ。
【請求項７】
請求項１に記載のカメラにおいて、
前記第２画像生成判断手段は、前記第１画像生成手段によって連写撮影が行われて連続する複数の前記第１画像が生成された場合に、前記第２画像を生成する判断をする
ことを特徴とするカメラ。
【請求項８】
請求項７に記載のカメラにおいて、
前記第１画像生成手段によって連写撮影が行われて連続する複数の前記第１画像が生成されて前記第２画像生成判断手段により前記第２画像を生成すると判断された場合、前記記憶手段によって連続する複数の前記第１画像の前に前記第２画像が記憶された後に、ファイル名の順番が、前記第２の画像が、連続する複数の前記第１画像の前になるファイル名を付与する付与手段を備えた
ことを特徴とするカメラ。
【請求項９】
請求項８に記載のカメラにおいて、
前記第１画像生成手段によって連写撮影が行われて連続する複数の前記第１画像が生成されて前記第２画像生成判断手段により前記第２画像を生成すると判断された場合、前記記憶手段によって連続する複数の前記第１画像の前および後に複製された前記第２画像が記憶された後に、ファイル名の順番が、複製された前記第２の画像が、連続する複数の前記第１画像の前および後になるファイル名を付与する付与手段を備えた
ことを特徴とするカメラ。
【請求項１０】
請求項１に記載のカメラにおいて、
音声を認識する音声認識手段を備え、
前記第２画像生成判断手段は、前記音声認識手段によって認識された音声が前記第１画像生成手段によって生成された前記第１画像に関連づけられた場合に、前記第２画像を生成する判断をする
ことを特徴とするカメラ。
【請求項１１】
請求項１０に記載のカメラにおいて、
前記音声認識手段によって認識された音声を文字に変換する変換手段を備え、
前記第２画像生成手段は、前記変換手段が変換した文字を含んだ前記第２画像を生成する
ことを特徴とするカメラ。
【請求項１２】
請求項１から請求項１１のいずれか１項に記載のカメラにおいて、
前記第２画像生成手段は、前記開口手段が閉じた状態で前記撮像手段から得られる撮像信号によって前記第２画像を生成する
ことを特徴とするカメラ。
【請求項１３】
請求項１から請求項１１のいずれか１項に記載のカメラにおいて、
前記第２画像生成手段は、所定の画像データに基づいて前記第２画像を生成する
ことを特徴とするカメラ。
【発明の詳細な説明】
【技術分野】
【０００１】
本発明は、光学系によって被写体光を開口手段を介して取り込んで撮影手段に結像させて複数の画像を生成するカメラに関するものである。
【背景技術】
【０００２】
従来、この種のカメラとしては、例えば、特許文献１に開示されたディジタルスチルカメラがある。このカメラは、複数のグループおよび各グループに含まれている画像についての内容の確認や所望の画像の発見を、画面上で簡単かつ迅速に行う表示制御装置を備えている。この表示制御装置は、画像データに付与された特徴情報、例えば、時期情報、場所情報、カテゴリ情報などに基づいて、多数の画像データをグループに分類する。その後、各グループの特性としての代表画像を表示するための表示用枠を、液晶ディスプレイに表示し、表示用枠内へのポインタの移動を検出したときに、スライドショーを開始して、グループ内の複数の画像を液晶ディスプレイに順次表示する。
【特許文献１】特開２００６−１４６７５５号公報
【発明の開示】
【発明が解決しようとする課題】
【０００３】
しかしながら、特許文献１に開示された上記従来のカメラでは、撮影された複数の画像を分類するために、画像データに付与された特徴情報、例えば、時期情報、場所情報、カテゴリ情報などに基づいて、多数の画像データをグループに分類するアルゴリズムが必要となる。このため、そのアルゴリズムを実現するシステムが複雑になるため、特許文献１に開示された上記従来のカメラでは、安価にカメラを構成することができない。
【０００４】
また、一般的に、デジタルカメラで撮影される複数の画像は、従来の銀塩式カメラのようにフィルムを必要としないため、多量に生成され、画像データの分類及び整理が煩雑になっていた。特に、サムネイル一覧画像として多数の画像がビュアーソフトによって外部モニタに一連で表示される場合、例えば、旅行での日付の区切りや、一眼レフ式デジタルカメラのレンズといった撮影機材を交換した場合の区切りなどがわからず、画像データの分類及び整理が煩雑になっていた。このような場合、従来、使用者が自ら空取りを行うことにより、既に撮影した複数の画像に対して区切りとなる画像を作成して、既に撮影した複数の画像を分類して整理していたが、非常に手間がかかり、利便性に欠けていた。
【課題を解決するための手段】
【０００５】
請求項１に係る本発明はこのような課題を解決するためになされたもので、
光学系によって被写体光を開口手段を介して取り込んで撮像手段に結像させて第１画像を生成する第１画像生成手段と、
第１画像と識別可能な第２画像を生成するか否かを判断する第２画像生成判断手段と、
この第２画像生成判断手段によって第２画像を生成すると判断されると第２画像を生成する第２画像生成手段と、
第１画像生成手段によって生成された複数の第１画像を第２画像生成手段によって生成された第２画像で区切って記憶媒体に記憶する記憶手段と
を備え、カメラを構成した。
【０００６】
本構成によれば、第１画像生成手段によって生成された複数の第１画像は、記憶手段により、第２画像生成手段によって生成された第２画像で区切られて記憶媒体に記憶される。このため、撮影された複数の第１画像は、第２画像に基づいて、カメラによって自動的に分類され、グループ化されて整理される。従って、使用者は、撮影した複数の第１画像を分類して整理するため、従来のように、自ら空取りを行うことによって撮影した複数の第１画像の区切りとなる画像を作成して、複数の第１画像を分類する必要はない。このため、既に撮影した複数の画像を分類する手間がかからなくなり、撮影した画像データの分類および整理のうえで利便性が向上する。また、使用者は、撮影した複数の第１画像の中から第２画像を確認することにより、撮影した複数の第１画像を、第２画像で区切られたグループごとに認識することで、一目で容易に複数の画像全体を把握することができ、また、所望の特定の画像を容易かつ迅速に、検索して発見することができる。また、従来の特許文献１に開示されたカメラのように、複数の画像を分類する複雑なアルゴリズムを実現するシステムも必要なく、安価にカメラを構成できる。
【０００７】
また、請求項２に係る本発明は、請求項１に記載のカメラにおいて、
第２画像生成判断手段が、第１画像生成手段によって前回生成された第１画像の生成日と今回生成された第１画像の生成日とが異なる場合、または、第１画像生成手段によって前回生成された時に用いられた撮影機材と今回生成された時に用いられた撮影機材とが異なる場合に、第２画像を生成する判断をする
ことを特徴とする。
【０００８】
本構成によれば、第１画像生成手段によって前回生成された第１画像の生成日と今回生成された第１画像の生成日とが異なる場合には、第１画像生成手段によって生成された複数の第１画像は、記憶手段により、第２画像生成手段によって生成された第２画像で区切られて記憶媒体に記憶され、時系列に自動的に分類される。このため、従来のように、使用者が自ら時系列に空取りを行うことにより、撮影した複数の第１画像を時系列に分類する手間は必要なくなる。
【０００９】
また、第１画像生成手段によって前回生成された時に用いられた撮影機材と今回生成された時に用いられた撮影機材とが異なる場合には、第１画像生成手段によって生成された複数の第１画像は、記憶手段により、第２画像生成手段によって生成された第２画像で区切られて記憶媒体に記憶され、撮影機材ごとに自動的に分類される。このため、従来のように、使用者が撮影機材を交換するごとに自ら空取りを行うことにより、撮影した複数の第１画像を撮影機材ごとに分類する手間は必要なくなる。
【００１０】
また、請求項３に係る本発明は、請求項２に記載のカメラにおいて、
第２画像生成手段が、第１画像生成手段によって前回生成された第１画像の生成日と今回生成された第１画像の生成日とが異なって第２画像生成判断手段により第２画像を生成すると判断された場合、生成日情報を含んだ第２画像を生成し、第１画像生成手段によって前回生成された時に用いられた撮影機材と今回生成された時に用いられた撮影機材とが異なって第２画像生成判断手段により第２画像を生成すると判断された場合、撮影機材情報を含んだ第２画像を生成する
ことを特徴とする。
【００１１】
本構成によれば、第１画像生成手段によって前回生成された第１画像の生成日と今回生成された第１画像の生成日とが異なる場合には、撮影された複数の第１画像は、記憶手段により、生成日情報を含んだ第２画像で区切られて記憶媒体に記憶される。このため、撮影された複数の第１画像は生成日ごとに自動的に分類され、使用者は、撮影した複数の第１画像の中から第２画像に表示された生成日を確認することにより、撮影した複数の第１画像を生成日ごとに一目で容易に把握することができる。
【００１２】
また、第１画像生成手段によって前回生成された時に用いられた撮影機材と今回生成された時に用いられた撮影機材とが異なる場合には、撮影した複数の第１画像は、記憶手段により、撮影機材情報を含んだ第２画像で区切られて記憶媒体に記憶される。このため、撮影された複数の第１画像は撮影機材ごとに自動的に分類され、使用者は、撮影した複数の第１画像の中から第２画像に表示された撮影機材情報を確認することにより、撮影した複数の第１画像を撮影に用いた撮影機材ごとに一目で容易に認識することができる。
【００１３】
また、請求項４に係る本発明は、請求項３に記載のカメラにおいて、
第２画像生成手段が、第１画像生成手段によって前回生成された第１画像の生成日と今回生成された第１画像の生成日とが異なり、かつ、第１画像生成手段によって前回生成された時に用いられた撮影機材と今回生成された時に用いられた撮影機材とが異なって第２画像生成判断手段により第２画像を生成すると判断された場合、生成日情報および撮影機材情報を含んだ第２画像を生成する
ことを特徴とする。
【００１４】
本構成によれば、第１画像生成手段によって前回生成された第１画像の生成日と今回生成された第１画像の生成日とが異なり、かつ、第１画像生成手段によって前回生成された時に用いられた撮影機材と今回生成された時に用いられた撮影機材とが異なる場合には、記憶手段により、生成日情報および撮影機材情報を含んだ第２画像で生成日ごとまたは撮影機材ごとに区切られて記憶媒体に記憶される。このため、撮影された複数の第１画像は、生成日情報および撮影機材情報を含んだ第２画像で生成日ごとまたは撮影機材ごとに自動的に区切られて分類され、使用者は、撮影した複数の第１画像の中から第２画像に表示された生成日情報または撮影機材情報を確認することにより、撮影した複数の第１画像を生成日ごとまたは撮影機材ごとに一目で容易に認識することができる。
【００１５】
また、請求項５に係る本発明は、請求項４に記載のカメラにおいて、
第２画像生成手段が、第２画像に表示する生成日情報と撮影機材情報とを異なる色で表現する
ことを特徴とする。
【００１６】
本構成によれば、使用者は、異なる色で表現される、第２画像の生成日情報と撮影機材情報とを一目で識別することができ、撮影した複数の第１画像を生成日ごとまたは撮影機材ごとに分類して容易に把握することができる。
【００１７】
また、請求項６に係る本発明は、請求項１に記載のカメラにおいて、
記憶手段によって第２画像が記憶媒体に記憶された後に、第２画像で区切られることによってファイル名の順番が変わった第１画像、およびこの第１画像を区切る第２画像に、連続する新たなファイル名を付与する付与手段を備えた
ことを特徴とする。
【００１８】
本構成によれば、付与手段により、第１画像と、この第１画像を区切る第２画像とに連続する新たなファイル名が付与されるため、第２画像で区切られることによって順番が変わった各画像のファイル名は、自動的に並び替えられた状態となる。このため、第２画像が後から複数の第１画像に挿入されても、使用者は自らファイル名を付与し直す操作を行う必要がなく、利便性が向上し、また、ファイル名の順序を頼りに所望の画像を検索することが容易となる。
【００１９】
また、請求項７に係る本発明は、請求項１に記載のカメラにおいて、
第２画像生成判断手段が、第１画像生成手段によって連写撮影が行われて連続する複数の第１画像が生成された場合に、第２画像を生成する判断をする
ことを特徴とする。
【００２０】
本構成によれば、第１画像生成手段によって連写撮影が行われて連続する複数の第１画像が生成されて、第２画像生成判断手段によって第２画像を生成する判断がされた場合に、第２画像生成手段によって第２画像が生成されて、第１画像生成手段によって生成された複数の第１画像が区切られる。
【００２１】
また、請求項８に係る本発明は、請求項７に記載のカメラにおいて、
第１画像生成手段によって連写撮影が行われて連続する複数の第１画像が生成されて第２画像生成判断手段により第２画像を生成すると判断された場合、記憶手段によって連続する複数の第１画像の前に第２画像が記憶された後に、ファイル名の順番が、第２の画像が、連続する複数の第１画像の前になるファイル名を付与する付与手段を備えた
ことを特徴とする。
【００２２】
本構成によれば、付与手段は、記憶手段によって連続する複数の第１画像の前に第２画像が記憶された後に、ファイル名の順番が、第２の画像が、連続する複数の第１画像の前になるファイル名を付与する。このため、使用者は、撮影した複数の第１画像の中から第２画像を確認することにより、その第２画像以降の画像が、連写撮影によって撮影した連続する複数の第１画像であることを容易に認識することができ、連写撮影した画像群を一目で容易に把握することができる。
【００２３】
また、請求項９に係る本発明は、請求項８に記載のカメラにおいて、
第１画像生成手段によって連写撮影が行われて連続する複数の第１画像が生成されて第２画像生成判断手段により第２画像を生成すると判断された場合、記憶手段によって連続する複数の第１画像の前および後に複製された第２画像が記憶された後に、ファイル名の順番が、複製された第２の画像が、連続する複数の第１画像の前および後になるファイル名を付与する付与手段を備えた
ことを特徴とする。
【００２４】
本構成によれば、付与手段は、記憶手段によって連続する複数の第１画像の前および後に複製された第２画像が記憶された後に、ファイル名の順番が、複製された第２の画像が、連続する複数の第１画像の前および後になるファイル名を付与する。このため、使用者は、撮影した複数の第１画像の中から第２画像を確認することにより、その第
２画像で挟まれた画像が、連写撮影によって撮影した連続する複数の第１画像であること容易に認識することができ、連写撮影した画像群を一目で容易に把握することができる。
【００２５】
また、請求項１０に係る本発明は、請求項１に記載のカメラにおいて、
音声を認識する音声認識手段を備え、
第２画像生成判断手段が、音声認識手段によって認識された音声が第１画像生成手段によって生成された第１画像に関連づけられた場合に、第２画像を生成する判断をする
ことを特徴とする。
【００２６】
本構成によれば、使用者は、撮影した複数の第１画像のうち、第２画像を挿入したい位置の第１画像に音声認識手段によって音声を関連づけることにより、所望の位置に第２画像が挿入されるため、撮影した複数の第１画像を使用者独自に分類および整理することができる。また、使用者は、第１画像に関連付けられた音声を聞くことにより、第２画像によって区切られた第１画像のグループの内容を識別することができる。
【００２７】
また、請求項１１に係る本発明は、請求項１０に記載のカメラにおいて、
音声認識手段によって認識された音声を文字に変換する変換手段を備え、
第２画像生成手段は、変換手段が変換した文字を含んだ第２画像を生成する
ことを特徴とする。
【００２８】
本構成によれば、撮影した複数の第１画像は、記憶手段により、音声から変換された文字を含んだ第２画像で区切られて記憶媒体に記憶される。このため、使用者は、第１画像に関連付けられた音声の内容を、聴覚で聞くことなく、第２画像に表示される文字で視覚的に認識できるため、第２画像によって区切られた第１画像のグループの内容より容易に識別することができる。
【００２９】
また、請求項１２に係る本発明は、請求項１から請求項１１のいずれか１項に記載のカメラにおいて、
第２画像生成手段が、開口手段が閉じた状態で撮像手段から得られる撮像信号によって第２画像を生成する
ことを特徴とする。
【００３０】
本構成によれば、撮像手段に入射する被写体光は開口手段によって遮られるため、第２画像は第２画像生成手段によって黒い画像として生成される。このため、撮影された複数の第１画像は、黒い第２画像によって一目で容易に区切りを認識できる。
【００３１】
また、請求項１３に係る本発明は、請求項１から請求項１１のいずれか１項に記載のカメラにおいて、
第２画像生成手段が、所定の画像データに基づいて第２画像を生成する
ことを特徴とする。
【００３２】
本構成によれば、使用者は、使用者の好みに応じた画像を所定の画像データとして記憶手段に記憶しておくことにより、撮影した複数の第１画像に対して、使用者の好みに応じた画像を第２画像として挿入できる。このため、使用者は、撮影した複数の第１画像を使用者の好みに応じた態様で分類および整理することができる。
【発明の効果】
【００３３】
本発明による画像表示装置によれば、上記のように、撮影された複数の第１画像は、第２画像に基づいて、カメラによって自動的に分類され、グループ化されて整理される。このため、既に撮影した複数の画像を分類する手間がかからなくなり、撮影した画像データの分類および整理のうえで利便性が向上する。また、使用者は、撮影した複数の第１画像の中から第２画像を確認することにより、撮影した複数の第１画像を、第２画像で区切られたグループごとに認識することで、一目で容易に複数の画像全体を把握することができ、また、所望の特定の画像を容易かつ迅速に、検索して発見することができる。また、従来のカメラのように、複数の画像を分類する複雑なアルゴリズムを実現するシステムも必要なく、安価にカメラを構成できる。
【発明を実施するための最良の形態】
【００３４】
次に、本発明をデジタルカメラに適用した場合における最良の実施の形態について説明する。
【００３５】
図１は、この最良の実施の形態によるデジタルカメラの構成の概略を示すブロック図である。  
【００３６】
デジタルカメラ１は、交換レンズ２と本体３とから構成されている。本体３の外側には、レリーズボタン９と、デジタルカメラ１の各種の設定条件および撮影結果の表示をする表示部１０とが設けられている。また、デジタルカメラ１は、図示しない電源スイッチ、撮影者が撮影シーンの希望に応じて露出方法を選択できるダイヤル式選択スイッチ、および撮影時の画像記録の条件を設定する画像記録設定スイッチを備えている。
【００３７】
交換レンズ２は、本体３に着脱自在な撮影機材を構成しており、光学系を構成するレンズ５に加えて絞り６を備えている。また、この交換レンズ２には、レンズ５の焦点合わせをすると共に、絞り６を駆動するレンズ・絞り用駆動制御モータ７が設けられており、また、レンズ５の位置を確認するためのエンコーダー４が設けられている。また、このレンズ・絞り用駆動制御モータ７を駆動制御するためのレンズ・絞り用駆動制御回路８や、焦点距離、開放Ｆナンバーが記録された、図示しない記憶回路が設けられている。
【００３８】
本体３の内部には、撮影前・撮影時および撮影後のそれぞれ一連動作を司るＣＰＵ（Central Processing Unit）１１が設けられている。被写体光はレンズ５を通って本体３内に入射し、クイックリターンミラー１２により反射される。レンズ５を通ってできる画像は上下左右が逆さまになっているが、被写体光がクイックリターンミラー１２で反射することで、上下が正常な向きになる。クイックリターンミラー１２で反射した被写体光はさらにペンタプリズム１３で反射させられることで、左右も正常な向きとなり、使用者はファインダー１６を介して被写体像を正位像として見ることができる。ペンタプリズム１３を通過した光の一部はハーフミラー１４によって反射され、測光部１５によって検出される。ＣＰＵ１１は、この測光部１５で検出した被写体光量に基づいて、レンズ・絞り用駆動制御回路８によってレンズ・絞り用駆動モーター７を駆動させ、絞り６の開口量を調節する。これにより、ＣＣＤ（Charge Coupled Devices）によって撮像手段を構成する撮像素子１８に投影される被写体像の光量が、調節される。また、クイックリターンミラー１２で反射されずにこれを通過した被写体光は、クイックリターンミラー１２のサブミラー１２ａによって反射され、焦点検出装置２１によって検出される。ＣＰＵ１１は、焦点検出装置２１の検出結果に基づき、レンズ５による被写体光の焦点状態を検出する。そして、検出した被写体光の焦点状態、および、交換レンズ２の記憶回路から送出されてレンズ情報回路２０に記憶されているレンズ情報等に基づいて、レンズ・絞り用駆動制御回路８によってレンズ・絞り用駆動モーター７を駆動させ、レンズ５を移動して、撮像素子１８に投影される被写体像の焦点を合わせ調節をする。
【００３９】
デジタルカメラ１の使用者がファインダー１６を介して被写体像を見ながら、レリーズボタン９を押すことにより、ＣＰＵ１１がこれを検出し、開口手段を構成するシャッター１７の幕を開く。ＣＰＵ１１は、さらに、レンズ５および絞り６を通過した被写体光によって撮像素子１８に得られる像を、撮像素子駆動回路１９によって撮像する。撮像素子駆動回路１９によって撮像された被写体像は、ＣＰＵ１１により、撮像信号として画像処理回路２８へ出力される。画像処理回路２８は、入力された撮像信号に対して所定のアナログ信号処理を施した後、デジタル信号に変換し、ホワイトバランス処理やガンマ補正といった所定の画像処理を行う。画像処理回路２８で画像処理された画像データは、ＣＰＵ１１の制御によってＲＡＭ（ランダム・アクセス・メモリ）で構成される画像メモリ２９に一旦記録され、画像圧縮部３０によって圧縮される。圧縮された画像データは、画像表示回路２７によって液晶表示装置からなる表示部１０に表示されると共に、カードエンターフェイス２５の制御の下、記憶媒体を構成する不揮発性メモリからなるメモリーカード２６に格納される。カードインターフェイス２５は、ＣＰＵ１１に基づいて制御され、メモリーカード２６に対する画像データの書き込みおよび読み出しの制御を行う。また、本体３の前面に集音部が向けられてマイク２４が設けられており、マイク２４には、ＣＰＵ１１によって制御される音声処理回路２３が接続されている。音声処理回路２３、マイク２４、およびＣＰＵ１１は、マイク２４から集音した外部の音声を認識する音声認識手段を構成する。また、音声処理回路２３およびＣＰＵ１１は、音声認識手段によって認識された音声を文字に変換する変換手段を構成する。また、本体３の内部にはＧＰＳ（全地球測位システム）モジュール２２および無線モジュール３１が設けられている。ＧＰＳモジュール２２は、デジタルカメラ１の位置情報等のようなＧＰＳ情報をＧＰＳ衛星から収集する。無線モジュール３１は、外部から無線ＬＡＮ（ローカル・エリア・ネットワーク）規格の無線情報を得て、外部の無線機器と通信する。
【００４０】
ＣＰＵ１１、シャッター１７、撮像素子１８、撮像素子駆動回路１９、および画像処理回路２８は、レンズ５によって被写体光をシャッター１７を介して取り込んで撮像素子１８に結像させて被写体像を第１画像として生成する第１画像生成手段を構成する。また、ＣＰＵ１１は、第１画像と識別可能な第２画像を生成するか否かを判断する第２画像生成判断手段を構成する。また、ＣＰＵ１１、シャッター１７、撮像素子１８、および撮像素子駆動回路１９は、この第２画像生成判断手段によって第２画像を生成すると判断されると、第２画像を生成する第２画像生成手段を構成する。本実施形態では、第２画像生成手段は、シャッター１７が閉じた状態で撮像素子１８から得られる撮像信号によって第２画像を生成し、後述するような黒画像を第２画像として生成する。また、ＣＰＵ１１およびカードインターフェイス２５は、第１画像生成手段によって生成された複数の第１画像を、第２画像生成手段によって生成された第２画像で区切ってメモリーカード２６に記憶する記憶手段を構成する。
【００４１】
また、第２画像生成判断手段を構成するＣＰＵ１１は、図２〜図４において後述するように、第１画像生成手段によって前回生成された第１画像の生成日と、今回生成された第１画像の生成日とが異なる場合、または、第１画像生成手段によって前回生成された時に用いられた交換レンズ２と今回生成された時に用いられた交換レンズ２とが異なる場合に、第２画像を生成する判断をする。
【００４２】
また、第２画像生成手段は、第１画像生成手段によって前回生成された第１画像の生成日と今回生成された第１画像の生成日とが異なって第２画像生成判断手段により第２画像を生成すると判断された場合、生成日情報を含んだ第２画像を生成し、第１画像生成手段によって前回生成された時に用いられた交換レンズ２と今回生成された時に用いられた交換レンズ２とが異なって第２画像生成判断手段により第２画像を生成すると判断された場合、撮影機材情報を含んだ第２画像を生成する。本実施形態では、第２画像生成手段は、第１画像生成手段によって前回生成された第１画像の生成日と今回生成された第１画像の生成日とが異なり、かつ、第１画像生成手段によって前回生成された時に用いられた交換レンズ２と今回生成された時に用いられた交換レンズ２とが異なって第２画像生成判断手段により第２画像を生成すると判断された場合に、生成日情報および撮影機材情報を含んだ第２画像を生成する。この際、第２画像生成手段は、図５において後述するように、第２画像に表示する生成日情報と撮影機材情報とを異なる色で表現する。
【００４３】
また、ＣＰＵ１１は、図６において後述するように、記憶手段によって第２画像がメモリーカード２６に記憶された後に、第２画像で区切られることによってファイル名の順番が変わった第１画像、およびこの第１画像を区切る第２画像に、連続する新たなファイル名を付与する付与手段を構成する。
【００４４】
また、第２画像生成判断手段を構成するＣＰＵ１１は、図７および図８において後述するように、第１画像生成手段によって連写撮影が行われて連続する複数の第１画像が生成された場合に、第２画像を生成する判断をする。この際、上記の付与手段は、図９において後述するように、記憶手段によって連続する複数の第１画像の前および後に複製された第２画像が記憶された後に、ファイル名の順番が、複製された第２の画像が、連続する複数の第１画像の前および後になるファイル名を付与する。
【００４５】
また、第２画像生成判断手段を構成するＣＰＵ１１は、図１０および図１１において後述するように、音声認識手段によって認識された音声が第１画像生成手段によって生成された第１画像に関連づけられた場合に、第２画像を生成する判断をする。この際、第２画像生成手段は、音声処理回路２３が音声から変換した文字を含んだ第２画像を生成する。
【００４６】
図２，図３および図４は、被写体像を撮影する際にＣＰＵ１１によって行われる処理の概略を示すフローチャートである。
【００４７】
まず、ＣＰＵ１１は日付フラグを初期値である０にリセットする（図２，Ｓ１参照）。この日付フラグは後述する日付画像が生成されたか否かを識別するために用いられ、日付画像が生成されると１にセットされる。次に、ＣＰＵ１１は、レリーズボタン９がオンされると、レンズ情報回路２０からレンズ５の焦点距離、開放Ｆナンバー等のレンズ情報を取得する（Ｓ２）。次に、ＣＰＵ１１は、測光部１５に対して露出決定のための測光処理を指示すると共に（Ｓ３）、焦点検出装置２１に対してオートフォーカスのための焦点検出処理を指示する（Ｓ４）。続いて、ＣＰＵ１１は、焦点検出装置２１で検出した焦点に基づいて、レンズ・絞り用駆動制御回路８に対してレンズ駆動を指示し（Ｓ５）、レンズ・絞り用駆動モーター７を駆動させて合焦するようにレンズ５を移動させる。また、ＣＰＵ１１は、測光部１５で検出した被写体光量に基づいて、レンズ・絞り用駆動制御回路８に対して絞り駆動を指示し（Ｓ６）、レンズ・絞り用駆動モーター７を駆動させて絞り６の開口量を調節する。
【００４８】
次に、ＣＰＵ１１は、クイックリターンミラー１２に対してミラーアップさせる駆動指示を出力し（Ｓ７）、被写体光をクイックリターンミラー１２を介することなく、撮像素子１８側に直接入射させる。次に、ＣＰＵ１１は、シャッター１７に対してシャッタ駆動指示を出力し（Ｓ８）、シャッター１７の先幕を開けると共に、所定時間遅らせて後幕を閉じる。これにより、シャッター１７を介して撮像素子１８に被写体光が取り込まれる。引き続いて、ＣＰＵ１１は、撮像素子駆動回路１９に対してＣＣＤ駆動指示を出力し（Ｓ９）、撮像素子１８に投影される被写体像の画像データを作成させる。その後、ＣＰＵ１１は、クイックリターンミラー１２に対してミラーダウンさせる駆動指示を出力し（Ｓ１０）、クイックリターンミラー１２を撮像素子１８の前面に移動させて、再び被写体光をファインダ側へ反射させる。次に、ＣＰＵ１１はカードインターフェイス２５に対して画像ファイル記録指示を出力し（Ｓ１１）、レンズ５を通して撮像素子１８によって撮影された被写体像を第１画像としてメモリーカード２６に記録する。メモリーカードに記録される画像ファイルは、Ｅｘｉｆ（Exchangeable Image File Format）規格に従ったＥｘｉｆファイル・フォーマットで作成され、撮影された第１画像データは画像データ部に、Ｓ２の処理で取得されたレンズ情報や撮影日情報などはヘッダ部に記録される。
【００４９】
次に、ＣＰＵ１１は、画像ファイルのヘッダ部に記録された撮影日情報を参照し、前回撮影してメモリーカード２６に記録されている第１画像の最終コマの撮影日と、今回撮影した第１画像の撮影日とが、同じであるか否かを判別する（図３，Ｓ２１参照）。各撮影日が違って、このＳ２１の判別が“ＮＯ”である場合、ＣＰＵ１１は、撮像素子駆動回路１９に対してＣＣＤ駆動指示を出力し（Ｓ２２）、撮影モードを自動的にマニュアルモードに切り換え、シャッター１７が閉じた状態で撮像素子１８から得られる撮像信号によって第２画像を生成する。シャッター１７が閉じた状態では、撮像素子１８に入射する被写体光が遮断されるため、第２画像は黒色の画像として生成される。この際、ＣＰＵ１１は、メモリーカード２６の記憶領域を多く使用しないようにするため、画像圧縮部３０の圧縮率を最小画質の圧縮率に設定すると共に、絞り６による絞りを最大にし、シャッター速度を最短にする。
【００５０】
その後、ＣＰＵ１１は、Ｓ２２で生成した第２画像に日付画像を重畳する（Ｓ２３）。日付画像は、Ｓ９の処理によって今回の撮影により生成された第１画像の生成日を表す画像で、黒色の第２画像に重畳すると、例えば、図５(ａ)に示すような、黒地に白抜きの文字で表された生成日情報（０８年０１月２３日）が重畳した第２画像が生成される。次に、ＣＰＵ１１は、画像ファイル記録指示を行い（Ｓ２４）、日付画像が重畳した第２画像をメモリーカード２６に記録し、複数の第１画像を第２画像によって日付で区切る。次に、ＣＰＵ１１は、メモリーカード２６に記録された第１画像および第２画像に対して、ファイル名付与処理を行う（Ｓ２５）。
【００５１】
つまり、ＣＰＵ１１は、第２画像で区切られることによってファイル名の順番が変わった第１画像、およびこの第１画像を区切る第２画像に、連続する新たなファイル名を付与する。例えば、図６（ａ）に示すように、１日目に使用者が被写体像を２枚撮影して、第１画像生成手段によってファイル名が0001.jpgおよび0002.jpgの第１画像が生成された後、２日目に被写体像を１枚撮影して第１画像生成手段によってファイル名が0003.jpgの第１画像が生成された場合、メモリーカード２６には同図に示すように各画像ファイルが並ぶ。この状態で、Ｓ２２の処理において、第２画像生成手段によって日付画像が重畳した第２画像が生成されると、Ｓ２４の処理によってファイル名が0004.jpgの第２画像が、図６（ｂ）に示すように複数の第１画像を日付で区切る位置に記録される。ここで、Ｓ２５のファイル名付与処理が行われると、ファイル名を付与する付与手段により、図６（ｃ）に示すように、ファイル名が0003.jpgの第１画像のファイル名が0004.jpgへ変更され、日付画像を重畳した第２画像のファイル名が0004.jpgから0003.jpgへ変更される。次に、ＣＰＵ１１は、日付画像を重畳した第２画像を生成したので、日付フラグを１に設定する（図３，Ｓ２６参照）。
【００５２】
各撮影日が同じでＳ２１の判別が“ＹＥＳ”である場合、または、Ｓ２６の処理を終えると、ＣＰＵ１１は、画像ファイルのヘッダ部に記録されたレンズ情報を参照して、前回撮影してメモリーカード２６に記録された第１画像の最終コマの撮影に用いられた交換レンズ２と、今回撮影した画像の撮影に用いられた交換レンズ２とが、同じであるか否かを判別する（図４，Ｓ３１参照）。各交換レンズ２が違ってＳ３１の判別が“ＮＯ”である場合、ＣＰＵ１１は、日付フラグが０であるか否かを判別する（Ｓ３２）。日付フラグが１でＳ３２の判別が“ＮＯ”である場合、既に第２画像を生成しているので、メモリーカード２６から日付画像を重畳した第２画像（日付入り区切り画像）を読み出す（Ｓ３３）。また、日付フラグが０でＳ３２の判別が“ＹＥＳ”である場合、ＣＰＵ１１は、撮像素子駆動回路１９に駆動指示を出力し（Ｓ３４）、シャッター１７が閉じた状態で撮像素子１８から得られる撮像信号によって黒色の第２画像を生成する。
【００５３】
次に、ＣＰＵ１１は、Ｓ３３またはＳ３４の処理の後、第２画像にレンズ情報画像を重畳する（Ｓ３５）。レンズ情報画像は、Ｓ２の処理によって得られたレンズ情報を表す画像で、黒色の第２画像に重畳すると、日付フラグが０の場合には、例えば、図５(ｂ)に示すような、撮影機材情報が、黄色の文字で表された「開放絞り値Ｆ２.8，焦点距離３５〜７０mm」として重畳した第２画像が生成される。なお、撮影機材情報としてレンズの型番情報などを用いてもよい。また、日付フラグが１の場合には、例えば、図５(ｃ)に示すような、黒地に白抜き文字で表された生成日情報（０８年０１月２３日）、および黄色の文字で表された撮影機材情報（開放絞り値Ｆ２.8，焦点距離３５〜７０mm）が重畳した第２画像が生成される。なお、生成日情報と撮影機材情報とは同じ色で表現されていてもよい。また、第２画像の背景を特定の色にしたり、また第２画像の縁取りを特定の色にした構成であってもよい。
【００５４】
次に、ＣＰＵ１１は、画像ファイル記録指示を行う（Ｓ３６）。この処理において、日付フラグが０の場合には、図５（ｂ）に示すように生成した第２画像をメモリーカード２６に記録し、複数の第１画像を第２画像によって交換レンズ２の種類毎に区切る。また、日付フラグが１の場合には、図５（ｃ）に示すように生成した第２画像をメモリーカード２６に記録し、複数の第１画像を第２画像によって日付で区切る。次に、ＣＰＵ１１は、日付フラグが０であるか否かを判別する（Ｓ３７）。この判別が“ＹＥＳ”である場合、ＣＰＵ１１は、メモリーカード２６に記録された第１画像および第２画像に対して、Ｓ２５の処理と同様なファイル名付与処理を行う（Ｓ３８）。一方、Ｓ３７の判別が“ＮＯ”である場合、または、Ｓ３８の処理を終えると、ＣＰＵ１１は、本処理を終了する。
【００５５】
図７および図８は、被写体像を連写撮影する際にＣＰＵ１１によって行われる処理の概略を示すフローチャートである。なお、図７において、図２と同一または相当する処理には同一ステップ番号を付して、その説明は省略する。
【００５６】
まず、連写撮影に先立ち、使用者は、表示部１０に表示される設定メニューを操作することにより、デジタルカメラ１の撮影モードを連写モードに設定し、連写撮影機能を有効にする。次に、ＣＰＵ１１は、連写カウンタを初期値である０にリセットする（図７，Ｓ４１参照）。連写カウンタは、連写撮影によって取得される第１画像の数を計数するカウンタである。次に、レーリーズボタン２が使用者によって全押しされると、連写撮影が開始される。連写撮影が開始されると、ＣＰＵ１１は、Ｓ２〜Ｓ１１で示す処理を図２に示すフローチャートと同様にして行い、撮影した被写体像を第１画像としてメモリーカード２６に記録する。
【００５７】
その後、ＣＰＵ１１は、第１画像を１枚取得したのに伴い、連写カウンタを１だけインクリメントする（図８，Ｓ５１参照）。次に、ＣＰＵ１１は、レリーズボタン９の全押しが解除され、連写撮影が終了されたか否かを判別する（Ｓ５２）。この判別が“ＮＯ”である場合、処理はＳ２に戻り、Ｓ２〜Ｓ１１およびＳ５１，Ｓ５２の処理が繰り返されて、２枚目以降の連写撮影が行われる。レリーズボタン９の全押しが解除されてＳ５２の判別が“ＹＥＳ”になると、ＣＰＵ１１は、連写撮影において撮影された第１画像の枚数を示す連写カウンタが２以上であるか否かを判別する（Ｓ５３）。撮影された第１画像の枚数が２枚以上であってこの判別が“ＹＥＳ”である場合、ＣＰＵ１１は、次に、撮像素子駆動回路１９に対してＣＣＤ駆動指示を出力し（Ｓ５４）、シャッター１７が閉じた状態で撮像素子１８から得られる撮像信号によって黒色の第２画像を生成する。引き続き、ＣＰＵ１１は、この第２画像を複製して同じ第２画像を区切り画像として２枚生成し（Ｓ５５）、画像ファイル記録指示を行って（Ｓ５６）、連写によって得られた連続する複数の第１画像を第２画像で区切ってメモリーカード２６に記録する。
【００５８】
次に、ＣＰＵ１１は、ファイル名付与処理を行う（Ｓ５７）。本実施形態では、ＣＰＵ１１は、ファイル名の順番が、複製された第２の画像が、連続する複数の第１画像の前および後になるファイル名を付与する。例えば、使用者が連写撮影において連続する３枚の被写体像を写して、図９（ａ）に示すように第１画像生成手段によってファイル名が0001.jpg〜0003.jpgの３枚の第１画像が生成された場合、同図に示すようにメモリーカード２６には３枚の第１画像が並ぶ。この状態で、Ｓ５４の処理によって区切り画像である第２画像が第２画像生成手段により生成されると、Ｓ５５の処理によってこの第２画像が図９（ｂ）に示すように２枚に複製される。そして、Ｓ５６の処理により、図９（ｃ）に示すように、３枚の連続する第１画像の前および後に複製された第２画像が記録される。その後、Ｓ５７のファイル名付与手段により、図９（ｄ）に示すように、ファイル名を付与する付与手段により、この２枚の第２画像に対して0001.jpg、0005.jpgのファイル名が付与され、３枚の第１画像のファイル名0001.jpg〜0003.jpgが、0002.jpg〜0004.jpgへ変更される。その後、図８において、ＣＰＵ１１は、Ｓ５３の判別が“ＮＯ”である場合、またはＳ５７の処理を終えると、本処理を終了する。
【００５９】
図１０および図１１は、動画撮影した第１画像に対して音声を関連付けて記録する際に、ＣＰＵ１１によって行われる処理の概略を示すフローチャートである。なお、図１０において、図２と同一または相当する処理には同一符号を付して、その説明は省略する。
【００６０】
まず、動画撮影に先立ち、使用者は、表示部１０に表示される設定メニューを操作することにより、デジタルカメラ１の撮影モードを動画撮影モードに設定し、動画撮影機能を有効する。次に、ＣＰＵ１１は、Ｓ２〜Ｓ１１で示す処理を図２に示すフローチャートと同様にして行う。ただし本処理では、Ｓ９のＣＣＤ駆動処理指示により、撮像素子１８および撮像素子駆動回路１９によって動画像が第１画像として取得され、取得された動画像がメモリーカード２６に記録される。
【００６１】
その後、ＣＰＵ１１は、撮影した動画像の最後のコマをフリーズ画像として表示部１０に表示する（図１１，Ｓ６１参照）。次に、ＣＰＵ１１は、撮影した動画像に関連付けて音声を録音する否かを表示部１０に表示し、使用者に音声を録音するかどうかについて質問する（Ｓ６２）。この判別が“ＹＥＳ”である場合、ＣＰＵ１１は、マイク２４を介して取得される音声を録音し（Ｓ６３）、音声ファイルを生成する（Ｓ６４）。次に、ＣＰＵ１１は、作成した音声ファイルにファイル名を付与し（Ｓ６５）、メモリーカード２６に保存する（Ｓ６６）。音声ファイルのファイル名は、第１画像のファイル名と拡張子以外のファイル名が同一にされて付与される。例えば、すでに撮影した第１画像のファイル名が0001.jpgの場合、音声ファイルのファイル名は、例えば0001.wavとなる。次に、ＣＰＵ１１は、撮像素子駆動回路１９にＣＣＤ駆動指示を出力し（Ｓ６７）、シャッター１７が閉じた状態で撮像素子１８から得られる撮像信号によって黒色の第２画像を生成する（Ｓ６７）。本実施形態では、ＣＰＵ１１は、録音した音声を文字に変換し、第２画像に重畳する。次に、ＣＰＵ１１は、画像ファイル記録指示を行い（Ｓ６８）、第２画像を、音声が録音された第１画像の後になるように、メモリーカード２６に記録する（Ｓ６８）。Ｓ６２の判別が“ＮＯ”である場合、またはＳ６８の処理を終えると、ＣＰＵ１１は、本処理を終了する。
【００６２】
図１２は、上記のようにして生成された第１画像および第２画像をサムネイル画像にして外部モニタに表示させた図である。
【００６３】
第１画像および第２画像を含むサムネイル一覧画像は、例えば、同図（ａ）に示すように、デジタルカメラ１の表示部１０、およびデジタルカメラ１とケーブルを介して接続されたテレビ３１に表示される。また、第１画像および第２画像が保存されたメモリカード２６を同図（ｂ）に示すパソコン３２の本体３２ａに挿入し、パソコン３２にインストールしたビュアソフトを用いることにより、第１画像および第２画像を含むサムネイル一覧画像がモニタ３２ｂに表示される。同図（ａ）および（ｂ）において、黒い画像が第２画像であり、複数表示されている第１画像の区切りとなっている。
【００６４】
このような本実施形態によるデジタルカメラ１によれば、第１画像生成手段によって生成された複数の第１画像は、図３，Ｓ２４および図４，Ｓ３６の処理において、記憶手段により、第２画像生成手段によって生成された黒色の第２画像で区切られてメモリーカード２６に記憶される。このため、撮影された複数の第１画像は、第２画像に基づいて、デジタルカメラ１によって自動的に分類され、グループ化されて整理される。従って、使用者は、撮影した複数の第１画像を分類して整理するため、従来のように、自ら空取りを行うことによって撮影した複数の第１画像の区切りとなる画像を作成して、複数の第１画像を分類する必要はない。このため、既に撮影した複数の画像を分類する手間がかからなくなり、撮影した画像データの分類および整理のうえで利便性が向上する。また、使用者は、撮影した複数の第１画像の中から第２画像を確認することにより、撮影した複数の第１画像を、第２画像で区切られたグループごとに認識することで、一目で容易に複数の画像全体を把握することができ、また、所望の特定の画像を容易かつ迅速に、検索して発見することができる。また、従来の特許文献１に開示されたカメラのように、複数の画像を分類する複雑なアルゴリズムを実現するシステムも必要なく、安価にデジタルカメラ１を構成できる。
【００６５】
また、本実施形態によるデジタルカメラ１によれば、図３，Ｓ２１の判別処理で、第１画像生成手段によって前回生成された第１画像の生成日と今回生成された第１画像の生成日とが異なる場合には、第１画像生成手段によって生成された複数の第１画像は、図３，Ｓ２４の処理において、記憶手段により、第２画像生成手段によって生成された第２画像で区切られてメモリーカード２６に記憶され、時系列に自動的に分類される。このため、従来のように、使用者が自ら時系列に空取りを行うことにより、撮影した複数の第１画像を時系列に分類する手間は必要なくなる。
【００６６】
また、図４，Ｓ３１の判別処理で、第１画像生成手段によって前回生成された時に用いられた交換レンズ２と今回生成された時に用いられた交換レンズ２とが異なる場合には、第１画像生成手段によって生成された複数の第１画像は、図４，Ｓ３６の処理において、記憶手段により、第２画像生成手段によって生成された第２画像で区切られてメモリーカード２６に記憶され、交換レンズ２ごとに自動的に分類される。このため、従来のように、使用者が交換レンズ２を交換するごとに自ら空取りを行うことにより、撮影した複数の第１画像を交換レンズ２ごとに分類する手間は必要なくなる。
【００６７】
また、本実施形態によるデジタルカメラ１によれば、図３，Ｓ２１の判別処理で、第１画像生成手段によって前回生成された第１画像の生成日と今回生成された第１画像の生成日とが異なる場合には、撮影された複数の第１画像は、図３、Ｓ２４の処理において、記憶手段により、図３，Ｓ２３の処理によって生成された生成日情報を含んだ第２画像（図５（ａ）参照）で区切られてメモリーカード２６に記憶される。このため、撮影された複数の第１画像は図６に示すように生成日ごとに自動的に分類され、使用者は、撮影した複数の第１画像の中から第２画像に表示された生成日を確認することにより、撮影した複数の第１画像を生成日ごとに一目で容易に把握することができる。
【００６８】
また、図４，Ｓ３１の判別処理で、第１画像生成手段によって前回生成された時に用いられた交換レンズ２と今回生成された時に用いられた交換レンズ２とが異なる場合には、撮影した複数の第１画像は、図４，Ｓ３６の処理において、記憶手段により、図４，Ｓ３５の処理によって生成された交換レンズ情報を含んだ第２画像（図５（ｂ）参照）で区切られてメモリーカード２６に記憶される。このため、撮影された複数の第１画像は交換レンズ２ごとに自動的に分類され、使用者は、撮影した複数の第１画像の中から第２画像に表示された交換レンズ情報を確認することにより、撮影した複数の第１画像を撮影に用いた交換レンズ２ごとに一目で容易に認識することができる。
【００６９】
また、本実施形態によるデジタルカメラ１によれば、図３，Ｓ２１の判別処理で、第１画像生成手段によって前回生成された第１画像の生成日と今回生成された第１画像の生成日とが異なり、かつ、図４，Ｓ３１の判別処理で、第１画像生成手段によって前回生成された時に用いられた交換レンズ２と今回生成された時に用いられた交換レンズ２とが異なる場合には、図４，Ｓ３６の処理において、記憶手段により、図４，Ｓ３３およびＳ３５の処理によって生成された生成日情報および撮影機材情報を含んだ第２画像（図５（ｃ）参照）で生成日ごとまたは交換レンズ２ごとに区切られて、メモリーカード２６に記憶される。このため、撮影された複数の第１画像は、生成日情報および撮影機材情報を含んだ第２画像で生成日ごとまたは交換レンズ２ごとに自動的に区切られて分類され、使用者は、撮影した複数の第１画像の中から第２画像に表示された生成日情報または撮影機材情報を確認することにより、撮影した複数の第１画像を生成日ごとまたは交換レンズ２ごとに一目で容易に認識することができる。
【００７０】
また、本実施形態によるデジタルカメラ１によれば、使用者は、異なる色で表現される、白色で表される第２画像の生成日情報と黄色で表される撮影機材情報とを一目で識別することができ、撮影した複数の第１画像を生成日ごとまたは交換レンズ２ごとに分類して容易に把握することができる。
【００７１】
また、本実施形態によるデジタルカメラ１によれば、図３，Ｓ２５および図４，Ｓ３８の処理において、付与手段により、第１画像と、この第１画像を区切る第２画像とに連続する新たなファイル名が付与されるため、第２画像で区切られることによって順番が変わった各画像のファイル名は、自動的に並び替えられた状態となる（図６参照）。このため、第２画像が後から複数の第１画像に挿入されても、使用者は自らファイル名を付与し直す操作を行う必要がなく、利便性が向上し、また、ファイル名の順序を頼りに所望の画像を検索することが容易となる。
【００７２】
また、本実施形態によるデジタルカメラ１によれば、図７並びに図８，Ｓ５１およびＳ５２の処理により、第１画像生成手段によって連写撮影が行われて連続する複数の第１画像が生成される。そして、図８，Ｓ５３の判別が“ＹＥＳ”になって第２画像生成判断手段によって第２画像を生成する判断がされた場合に、図８，Ｓ５４の処理において第２画像生成手段によって第２画像が生成されて、図８，Ｓ５６の処理において、記憶手段により、連続する複数の第１画像の前および後に複製された第２画像が記憶される（図９（ｃ）参照）。その後、図８，Ｓ５７の処理において、付与手段により、ファイル名の順番が、複製された第２の画像が、連続する複数の第１画像の前および後になるファイル名が付与される（図９（ｄ）参照）。このため、使用者は、撮影した複数の第１画像の中から第２画像を確認することにより、その第２画像で挟まれた画像が、連写撮影によって撮影した連続する複数の第１画像であること容易に認識することができ、連写撮影した画像群を一目で容易に把握することができる。
【００７３】
また、本実施形態によるデジタルカメラ１によれば、使用者は、図１１，Ｓ６２およびＳ６３の処理で、撮影した複数の第１画像のうち、第２画像を挿入したい位置の第１画像に音声認識手段によって音声を関連づけることにより、図１１，Ｓ６８の処理によって所望の位置に第２画像が挿入されるため、撮影した複数の第１画像を使用者独自に分類および整理することができる。また、使用者は、第１画像に関連付けられた音声を聞くことにより、第２画像によって区切られた第１画像のグループの内容を識別することができる。
【００７４】
また、撮影した複数の第１画像は、図１１，Ｓ６８の処理において、記憶手段により、図１１，Ｓ６７の処理で生成された、音声から変換された文字を含んだ第２画像で区切られて、メモリーカード２６に記憶される。このため、使用者は、第１画像に関連付けられた音声の内容を、聴覚で聞くことなく、第２画像に表示される文字で視覚的に認識できるため、第２画像によって区切られた第１画像のグループの内容をより容易に識別することができる。
【００７５】
また、本実施形態によるデジタルカメラ１によれば、図３，Ｓ２２、図４，Ｓ３４の処理等において、第２画像生成手段によって第２画像が生成される際、撮像素子１８に入射する被写体光がシャッター１２によって遮られるため、第２画像は黒い画像として生成される。このため、撮影された複数の第１画像は、黒い第２画像によって一目で容易に区切りを認識できる。
【００７６】
なお、本実施形態において、第２画像生成手段は、シャッター１７が閉じた状態で撮像素子１８から得られる撮像信号によって第２画像を生成する構成であったが、撮像素子１８を用いずに所定の画像データに基づいて、ＣＰＵ１１が第２画像を生成する構成であってもよい。本構成によれば、使用者は、使用者の好みに応じた画像を所定の画像データとして記憶手段に記憶しておくことにより、撮影した複数の第１画像に対して、使用者の好みに応じた画像を第２画像として挿入できる。このため、使用者は、撮影した複数の第１画像を使用者の好みに応じた態様で分類および整理することができる。
【００７７】
また、本実施形態において、デジタルカメラ１は、第１画像生成手段によって連写撮影が行われて連続する複数の第１画像が生成された場合、連続する複数の第１画像の前および後に複製した第２画像を記憶する構成であったが、連続する複数の第１画像の前や後のいずれか一方に第２画像を記憶する構成であってもよい。本構成によれば、記憶手段によって連続する複数の第１画像の前または後に第２画像が記憶された後に、付与手段によりファイル名の順番が、第２の画像が、連続する複数の第１画像の前または後になるファイル名が付与される。このため、使用者は、撮影した複数の第１画像の中から第２画像を確認することにより、その第２画像以降、または第２画像以前の画像が、連写撮影によって撮影した連続する複数の第１画像であることを容易に認識することができ、連写撮影した画像群を一目で容易に把握することができる。
【００７８】
また、第２画像生成手段は、無線モジュール３１によって得られた無線情報、例えば無線ＬＡＮによって得られた情報を含む第２画像を生成する構成であってもよい。本構成によれば、記憶手段が、第１画像を無線情報を含む第２画像で区切ってメモリーカード２６に記録するため、撮影した複数の第１画像が無線情報に基づいて自動的に分類され、グループ化されて整理される。
【００７９】
また、第２画像生成手段は、ＧＰＳモジュール１５によって得られたＧＰＳ情報を含む第２画像を生成する構成であってもよい。本構成によれば、記憶手段が、第１画像をＧＰＳ情報を含む第２画像で区切ってメモリーカード２６に記録するため、撮影した複数の第１画像がＧＰＳ情報に基づいて自動的に分類され、グループ化されて整理される。
【００８０】
また、ＷｅｂからＷｅｂ画像を取得するＷｅｂ画像取得手段を備え、第２画像生成手段は、Ｗｅｂ画像取得手段によって取得されたＷｅｂ画像を含む第２画像を生成する構成であってもよい。本構成によれば、記憶手段が、第１画像をＷｅｂ画像を含む第２画像で区切ってメモリーカード２６に記録するため、撮影した複数の第１画像がＷｅｂ画像に基づいて自動的に分類され、グループ化されて整理される。
【００８１】
また、本実施形態において、第２画像生成判断手段が、第１画像生成手段によって前回生成された第１画像の生成日と今回生成された第１画像の生成日とが異なる場合に、第２画像を生成する判断をする構成であったが、第２画像生成判断手段が、予め設定した特定の時間に第２画像を生成する判断をする構成であってもよい。
【００８２】
また、本実施形態において、撮影機材は交換レンズ２である構成であったが、撮影機材は交換レンズ２に限らず、例えば、デジタルカメラ１に装着するその他の機材であってもよい。
【産業上の利用可能性】
【００８３】
上記実施形態においては、本発明のカメラをデジタルカメラに適用した場合について説明したが、ビデオカメラや、携帯電話等に内蔵されるカメラ等の他のカメラにも適用することが可能である。このようなカメラに本発明を適用した場合においても、上記実施形態と同様な作用効果が奏される。
【図面の簡単な説明】
【００８４】
【図１】本発明の最良の実施の形態によるデジタルカメラの構成の概略を示すブロック図である。
【図２】本実施の形態によるデジタルカメラで被写体像を撮影する際に行われる処理の概略を示す第１のフローチャートである。
【図３】図２に示す第１のフローチャートに続く第２のフローチャートである。
【図４】図３に示す第２のフローチャートに続く第３のフローチャートである。
【図５】本実施の形態によるデジタルカメラで生成された第２画像の具体例を示す図である。
【図６】本実施の形態によるデジタルカメラで生成された第１画像および第２画像に対して、ファイル名を付与する付与手段の処理を示す図である。
【図７】本実施の形態によるデジタルカメラで被写体像を連写撮影する際に行われる処理の概略を示す第１のフローチャートである。
【図８】図７に示す第１のフローチャートに続く第２のフローチャートである。
【図９】本実施の形態によるデジタルカメラで連写撮影によって生成された画像に対して、ファイル名を付与する付与手段の処理を示す図である。
【図１０】本実施の形態によるデジタルカメラで撮影した第１画像に音声を関連付ける際に行われる処理の概略を示す第１のフローチャートである。
【図１１】図１０に示す第１のフローチャートに続く第２のフローチャートである。
【図１２】本実施の形態によるデジタルカメラで生成された第１画像および第２画像をモニタに表示させた図である。
【符号の説明】
【００８５】
１…デジタルカメラ  
２…交換レンズ
３…本体
４…エンコーダー
５…レンズ
６…絞り
７…レンズ・絞り用駆動モータ
８…レンズ・絞り用駆動制御回路
９…レリーズボタン
１０…表示部
１１…ＣＰＵ
１２…クイックリターンミラー
１３…ペンタプリズム
１４…ハーフミラー
１５…測光部  
１６…ファインダー
１７…シャッター
１８…撮像素子
１９…撮像素子駆動回路
２０…レンズ情報回路
２１…焦点検出装置
２２…ＧＰＳモジュール  
２３…音声処理回路
２４…マイク
２５…カードエンターフェイス
２６…メモリーカード
２７…画像表示回路
２８…画像処理回路  
２９…画像メモリ
３０…画像圧縮部
３１…無線モジュール
【図１】
2010050705.tif 000003
【図２】
2010050705.tif 000004
【図３】
2010050705.tif 000005
【図４】
2010050705.tif 000006
【図５】
2010050705.tif 000007
【図６】
2010050705.tif 000008
【図７】
2010050705.tif 000009
【図８】
2010050705.tif 000010
【図９】
2010050705.tif 000011
【図１０】
2010050705.tif 000012
【図１１】
2010050705.tif 000013
【図１２】
2010050705.tif 000014